(57)【要約】【課題】参照画像に含まれる不要な情報を抑制して、励起光の角度や距離にかかわらず、定量的な強度情報を有する蛍光画像を得る。【解決手段】観察対象Ａに対して励起光を含む照明光を照射する照明部３と、観察対象Ａの所定の観察範囲における蛍光画像Ｓ１を取得する第１の画像取得部１９と、観察範囲において観察対象Ａに合焦していない状態の参照画像Ｓ３を取得する第２の画像取得部２１と、該第２の画像取得部２１により取得された参照画像Ｓ３を用いて、第１の画像取得部１９により取得された蛍光画像Ｓ１を補正する画像補正部２５とを備える蛍光観察装置１を提供する。【選択図】図１
2010220890.tif 000002
【特許請求の範囲】
【請求項１】
観察対象に対して励起光を含む照明光を照射する照明部と、
前記観察対象の所定の観察範囲における蛍光画像を取得する第１の画像取得部と、
前記観察範囲において前記観察対象に合焦していない状態の参照画像を取得する第２の画像取得部と、
該第２の画像取得部により取得された前記参照画像を用いて、前記第１の画像取得部により取得された前記蛍光画像を補正する画像補正部とを備える蛍光観察装置。
【請求項２】
前記画像補正部が、前記蛍光画像を前記参照画像で除算する請求項１に記載の蛍光観察装置。
【請求項３】
前記第２の画像取得部が、前記参照画像を取得する撮像素子と、前記観察対象からの戻り光を集光する撮像光学系とを備え、
該撮像光学系の焦点位置に対して光軸方向にずれた位置に前記撮像素子の撮像面が配置されている請求項１または請求項２に記載の蛍光観察装置。
【請求項４】
前記撮像光学系または前記撮像素子を光軸方向に移動させる移動機構を備える請求項３に記載の蛍光観察装置。
【請求項５】
前記照明部が、照明光として、白色光および励起光を同時に観察対象に照射し、
観察対象から戻る戻り光を集光する集光レンズと、
該集光レンズにより集光された戻り光から蛍光と白色光とを分岐する第１の分岐部と、
該第１の分岐部により分岐された白色光をさらに分岐する第２の分岐部と、
該第２の分岐部により分岐された一方の白色光を集光する白色光撮像光学系と、
該白色光撮像光学系の焦点位置に撮像面を配置した白色光撮像素子とを備え、
前記第１の分岐部により分岐された蛍光が、前記第１の画像取得部に導かれ、
前記第２の分岐部により分岐された他方の白色光または他方の白色光のうち一部の波長帯域の光が前記第２の画像取得部に導かれる請求項１に記載の蛍光観察装置。
【請求項６】
前記第２の画像取得部が、前記白色光撮像素子の撮像面に対して光軸方向にずれた焦点位置を有する参照光撮像光学系を備える請求項５に記載の蛍光観察装置。
【請求項７】
前記照明部が、照明光として、白色光および励起光を時分割に観察対象に照射し、
観察対象から戻る戻り光を集光する集光レンズと、
該集光レンズにより集光された戻り光を２つに分岐する分岐部とを備え、
前記分岐部により分岐された一方の戻り光が、前記第１の画像取得部に導かれ、
前記分岐部により分岐された他方の戻り光が、前記第２の画像取得部に導かれ、
前記第１の画像取得部が、前記照明部から白色光が照射されているときに白色光画像を取得し、前記照明部から励起光が照射されているときに蛍光画像を取得する請求項１に記載の蛍光観察装置。
【請求項８】
前記照明部が、さらに参照用照明光を時分割に観察対象に照射する請求項７に記載の蛍光観察装置。
【請求項９】
前記照明部が、照明光として、白色光および励起光を時分割に観察対象に照射し、
観察対象から戻る戻り光を集光する集光レンズと、
該集光レンズにより集光された戻り光を白色光と蛍光とに分岐する分岐部とを備え、
前記分岐部により分岐された蛍光が、前記第１の画像取得部に導かれ、
前記分岐部により分岐された白色光が、前記第２の画像取得部に導かれ、
前記第２の画像取得部が、参照画像および白色光画像を取得する撮像素子と、前記観察対象から戻る白色光を集光する撮像光学系と、前記照明部により白色光が照射されているときに、前記撮像光学系の焦点位置を前記撮像素子の撮像面に対して一致した位置とずれた位置との間で択一的に切り替える切替機構とを備える請求項１に記載の蛍光観察装置。
【請求項１０】
前記照明部が、照明光として、参照用照明光および白色光および励起光を時分割に観察対象に照射し、
観察対象から戻る戻り光を集光する集光レンズと、
該集光レンズにより集光された戻り光を白色光と蛍光とに分岐する分岐部とを備え、
前記分岐部により分岐された蛍光が、前記第１の画像取得部に導かれ、
前記分岐部により分岐された白色光が、前記第２の画像取得部に導かれ、
前記第２の画像取得部が、参照画像および白色光画像を取得する撮像素子と、前記観察対象から戻る白色光を集光する撮像光学系と、
前記照明部が、さらに参照用照明光を時分割に観察対象に照射し、前記照明部により白色光が照射されているときに前記撮像光学系の焦点位置を前記撮像素子の撮像面に対して一致した位置とし、前記照明部により参照用照明光が照射されているときに前記撮像光学系の焦点位置を前記撮像素子の撮像面に対してずれた位置となるように切り替える切替機構とを備える請求項１に記載の蛍光観察装置。
【請求項１１】
前記照明部が、照明光として、白色光および励起光を同時、または各々を択一的に観察対象に照射し、
観察対象から戻る戻り光を集光する集光レンズと、
該集光レンズにより集光された戻り光を白色光と蛍光とに分岐する分岐部とを備え、
前記分岐部により分岐された蛍光が、前記第１の画像取得部に導かれ、
前記分岐部により分岐された白色光が、前記第２の画像取得部に導かれ、
前記第２の画像取得部が、参照画像および白色光画像を取得する撮像素子と、前記観察対象から戻る白色光を集光する撮像光学系と、前記撮像光学系の焦点位置を前記撮像素子の撮像面に対して一致した位置とずれた位置との間で択一的に切り替える切替機構とを備える請求項１に記載の蛍光観察装置。
【請求項１２】
前記切替機構が、前記撮像光学系または前記撮像素子を光軸方向に移動させる移動機構である請求項９から請求項１１のいずれかに記載の蛍光観察装置。
【請求項１３】
前記撮像光学系が液晶レンズである請求項９から請求項１１のいずれかにに記載の蛍光観察装置。
【請求項１４】
前記照明部が、白色光および励起光を同時に観察対象に照射し、
観察対象から戻る戻り光を集光する撮像光学系と、
前記戻り光の内、参照光または白色光または蛍光を択一的に透過させるフィルタ部と、
該フィルタ部を透過した参照光または白色光または蛍光を撮影する撮像素子と、
前記フィルタ部により白色光が透過されているときに、前記撮像光学系の焦点位置を前記撮像素子の撮像面に対して一致した位置とし、参照光が透過されているときに、前記撮像光学系の焦点位置を前記撮像素子の撮像面に対してずれた位置とするように切り替える切替手段と、
前記撮像素子により取得された蛍光画像を、前記切替手段により参照光が透過されているときに得られた参照画像を用いて補正する画像補正部とを備える請求項１に記載の蛍光観察装置。
【請求項１５】
観察対象に対して励起光を含む照明光を照射する照明ステップと、
前記観察対象の所定の観察範囲における蛍光画像を取得する蛍光画像取得ステップと、
前記観察範囲において前記観察対象に合焦していない状態の参照画像を取得する参照画像取得ステップと、
該参照画像取得ステップにおいて取得された前記参照画像を用いて、前記蛍光画像取得ステップにおいて取得された前記蛍光画像を補正する画像補正ステップとを備える蛍光観察方法。
【発明の詳細な説明】
【技術分野】
【０００１】
本発明は、蛍光観察装置および蛍光観察方法に関するものである。
【背景技術】
【０００２】
従来、蛍光内視鏡のような蛍光観察装置においては、観察対象に照射する励起光の角度や距離に依存して、観察範囲内における励起光の照射強度が変化するので、発生する蛍光の強度が変化することが知られている。そして、このような蛍光強度の変化を補正するために、同一観察範囲について取得した参照画像（例えば、反射光画像等）によって除算することにより、距離や角度の影響を補正する蛍光観察装置が知られている（例えば、特許文献１参照。）。
【先行技術文献】
【特許文献】
【０００３】
【特許文献１】特開昭６２−２４７２３２号公報
【発明の概要】
【発明が解決しようとする課題】
【０００４】
しかしながら、参照画像には距離や角度の情報以外の情報、例えば、観察対象が生体組織である場合には血管構造やエッジの画像情報が含まれてしまうため、単純にこれを用いて補正すると、画像全体にわたる定量的な補正ができず、画質が劣化してしまうという不都合がある。
【０００５】
本発明は上述した事情に鑑みてなされたものであって、参照画像に含まれる不要な情報を抑制して、励起光の角度や距離にかかわらず、定量的な強度情報を有する蛍光画像を得ることができる蛍光観察装置および蛍光観察方法を提供することを目的としている。
【課題を解決するための手段】
【０００６】
上記目的を達成するために、本発明は以下の手段を提供する。
本発明は、観察対象に対して励起光を含む照明光を照射する照明部と、前記観察対象の所定の観察範囲における蛍光画像を取得する第１の画像取得部と、前記観察範囲において前記観察対象に合焦していない状態の参照画像を取得する第２の画像取得部と、該第２の画像取得部により取得された前記参照画像を用いて、前記第１の画像取得部により取得された前記蛍光画像を補正する画像補正部とを備える蛍光観察装置を提供する。
【０００７】
本発明によれば、照明部から発せられた励起光を含む照明光が観察対象に照射されると、観察対象内に含まれる蛍光物質が励起されて蛍光が発生する。所定の観察範囲内において発生した蛍光は、第１の画像取得部によって蛍光画像として取得される。また、同一の観察範囲内からの戻り光は第２の画像取得部によって参照画像として取得される。そして、画像補正部によって、蛍光画像が同一の観察対象を撮影して得られた参照画像を用いて補正されることにより、照明光の距離や角度に依存する蛍光強度変化が補正された定量性のある蛍光画像を得ることができる。
【０００８】
この場合において、第２の画像取得部により取得される参照画像は、観察対象に合焦されていない状態の画像であるため、光学的に解像度が劣化しており、観察対象の表面状態等の情報が失われ、照明光の傾きや距離に基づく強度変化の情報が含まれている。したがって、これを用いた補正を行っても補正後の蛍光画像に観察対象の表面状態等の情報が含まれてしまうことを抑制することができ、精度よく定量的な強度情報を有する蛍光画像を取得することができる。
【０００９】
上記発明においては、前記画像補正部が、前記蛍光画像を前記参照画像で除算することが好ましい。
このようにすることで、簡易な演算で、定量性の高い蛍光画像を得ることができる。
【００１０】
また、上記発明においては、前記第２の画像取得部が、前記参照画像を取得する撮像素子と、前記観察対象からの戻り光を集光する撮像光学系とを備え、該撮像光学系の焦点位置に対して光軸方向にずれた位置に前記撮像素子の撮像面が配置されていてもよい。
このようにすることで、単に焦点位置をずらすだけで、合焦されていない状態の参照画像を得ることができ、複雑な画像処理を行う必要がなく、演算に要する処理や時間を節約することができる。また、特殊な光学系を用意する必要もなく、簡易な構成で精度の高い蛍光画像を得ることができる。
【００１１】
また、上記発明においては、前記撮像光学系または前記撮像素子を光軸方向に移動させる移動機構を備えていてもよい。
このようにすることで、参照画像における解像度を低下させる度合いを変化させることができ、適正な参照画像を選択することができる。
【００１２】
また、上記発明においては、前記照明部が、照明光として、白色光および励起光を同時に観察対象に照射し、観察対象から戻る戻り光を集光する集光レンズと、該集光レンズにより集光された戻り光から蛍光と白色光とを分岐する第１の分岐部と、該第１の分岐部により分岐された白色光をさらに分岐する第２の分岐部と、該第２の分岐部により分岐された一方の白色光を集光する白色光撮像光学系と、該白色光撮像光学系の焦点位置に撮像面を配置した白色光撮像素子とを備え、前記第１の分岐部により分岐された蛍光が、前記第１の画像取得部に導かれ、前記第２の分岐部により分岐された他方の白色光が前記第２の画像取得部に導かれていてもよい。
【００１３】
このようにすることで、白色光および励起光を同時に観察対象に照射すると、観察対象においては、内部の蛍光物質が励起されて蛍光が発生し、観察対象の表面においては白色光が反射される。観察対象から戻る蛍光および白色光は、集光レンズにより集光された後に第１の分岐部によって分岐された蛍光が第１の画像取得部により蛍光画像として取得される。
【００１４】
一方、第１の分岐部によって分岐された白色光は、第２の分岐部によってさらに２つに分岐され、その一方が白色光撮像光学系を介して白色光撮像素子により白色光画像として取得される。また、他方の白色光は第２の画像取得部に導かれて合焦されていない状態の参照画像として取得される。これにより、観察対象の表面状態を表示するための白色光画像と、精度よく補正された蛍光画像とを同時に得ることができる。
【００１５】
また、上記発明においては、前記第２の画像取得部が、前記白色光撮像素子の撮像面に対して光軸方向にずれた焦点位置を有する参照光撮像光学系を備えていていもよい。
このようにすることで、単一の白色光撮像素子上の異なる領域において、白色光画像と参照画像とを取得することができ、参照画像用に別個の撮像素子を設ける必要がなく、構造を簡易にすることができる。
【００１６】
また、上記発明においては、前記照明部が、照明光として、白色光および励起光を時分割に観察対象に照射し、察対象から戻る戻り光を集光する集光レンズと、該集光レンズにより集光された戻り光を２つに分岐する分岐部とを備え、前記分岐部により分岐された一方の戻り光が、前記第１の画像取得部に導かれ、前記分岐部により分岐された他方の戻り光が、前記第２の画像取得部に導かれ、前記第１の画像取得部が、前記照明部から白色光が照射されているときに白色光画像を取得し、前記照明部から励起光が照射されているときに蛍光画像を取得することとしてもよい。
【００１７】
このようにすることで、白色光画像と蛍光画像とを第１の画像取得部において同一の撮像素子により時分割で取得することができ、参照画像については第２の画像取得部において別個の撮像素子により取得することができる。したがって、白色光画像と補正された蛍光画像とを得るために撮像素子が２つで済み、構造を簡易にすることができる。
【００１８】
また、上記発明においては、前記照明部が、照明光として、白色光および励起光を時分割に観察対象に照射し、観察対象から戻る戻り光を集光する集光レンズと、該集光レンズにより集光された戻り光を白色光と蛍光とに分岐する分岐部とを備え、前記分岐部により分岐された蛍光が、前記第１の画像取得部に導かれ、前記分岐部により分岐された白色光が、前記第２の画像取得部に導かれ、前記第２の画像取得部が、参照画像および白色光画像を取得する撮像素子と、前記観察対象から戻る白色光を集光する撮像光学系と、前記照明部により白色光が照射されているときに、前記撮像光学系の焦点位置を前記撮像素子の撮像面に対して一致した位置とずれた位置との間で択一的に切り替える切替機構とを備えていてもよい。
【００１９】
このようにすることで、照明部から照明光として白色光が照射されているタイミングにおいて、切替機構を作動させ、第２の画像取得部において、合焦された状態の白色光画像と、合焦されていない状態の参照画像とを時分割で取得することができる。そして、照明部から照明光として励起光が照射されているタイミングにおいて、第１の画像取得部において蛍光画像を取得することができる。これにより、白色光画像と補正された蛍光画像とを得るために撮像素子が２つで済み、構造を簡易にすることができる。
【００２０】
また、上記発明においては、前記切替機構が、前記撮像光学系または前記撮像素子を光軸方向に移動させる移動機構であってもよい。
このようにすることで、移動機構によって撮像光学系または撮像素子を光軸方向に移動させて、撮像光学系の焦点位置を撮像素子の撮像面に一致させた状態とずらした状態とに簡易に択一的に切り替えることができる。
【００２１】
また、上記発明においては、前記撮像光学系が液晶レンズであってもよい。
このようにすることで、液晶レンズに加える電圧を切り替えるだけで、撮像光学系の焦点位置を撮像素子の撮像面に一致させた状態とずらした状態とに簡易に択一的に切り替えることができる。
【００２２】
また、本発明は、前記照明部が、白色光および励起光を同時に観察対象に照射し、観察対象から戻る戻り光を集光する撮像光学系と、前記戻り光の内の白色光または蛍光を択一的に透過させるフィルタ部と、該フィルタ部を透過した白色光または蛍光を撮影する撮像素子と、前記フィルタ部により白色光が透過されているときに、前記撮像光学系の焦点位置を前記撮像素子の撮像面に対して一致した位置とずれた位置との間で切り替える切替手段と、前記撮像素子により取得された蛍光画像を、前記切替手段により焦点位置がずれた状態で取得された白色光画像を用いて補正する画像補正部とを備える蛍光観察装置を提供する。
【００２３】
本発明によれば、フィルタ部が白色光を透過しているタイミングにおいて、切替手段を作動させ、合焦された状態の白色光画像と、合焦されていない状態の参照画像とを時分割で取得することができる。そして、フィルタ部が蛍光を透過しているタイミングにおいて、第１の画像取得部において蛍光画像を取得することができる。これにより、白色光画像と補正された蛍光画像とを得るために撮像素子が１つで済み、構造をさらに簡易にすることができる。
【００２４】
また、本発明は、観察対象に対して励起光を含む照明光を照射する照明ステップと、前記観察対象の所定の観察範囲における蛍光画像を取得する蛍光画像取得ステップと、前記観察範囲において前記観察対象に合焦していない状態の参照画像を取得する参照画像取得ステップと、該参照画像取得ステップにおいて取得された前記参照画像を用いて、前記蛍光画像取得ステップにおいて取得された前記蛍光画像を補正する画像補正ステップとを備える蛍光観察方法を提供する。
【００２５】
本発明によれば、照明ステップにより照明光が照射され、観察対象から戻る戻り光の内の蛍光が蛍光画像取得ステップにおいて蛍光画像として取得され、戻り光の内の反射光等が参照画像取得ステップにおいて参照画像として取得される。そして、画像補正ステップにおいて、蛍光画像が参照画像を用いて補正される。参照画像は、観察対象に合焦していない状態の画像であるため、光学的に解像度が劣化しており、観察対象の表面状態等の情報が失われ、照明光の傾きや距離に基づく強度変化の情報が含まれている。したがって、これを用いた補正を行っても補正後の蛍光画像に観察対象の表面状態等の情報が含まれてしまうことを抑制することができ、精度よく定量的な強度情報を有する蛍光画像を取得することができる。
【発明の効果】
【００２６】
本発明によれば、参照画像に含まれる不要な情報を抑制して、励起光の角度や距離にかかわらず、定量的な強度情報を有する蛍光画像を得ることができるという効果を奏する。
【図面の簡単な説明】
【００２７】
【図１】本発明の第１の実施形態に係る蛍光観察装置を示す全体構成図である。
【図２】図１の蛍光観察装置の撮像ユニットを示す模式図である。
【図３】図１の蛍光観察装置の参照画像を撮影するための撮像素子における、有限縁の被写界深度を有する対物レンズを用いた場合における焦点位置のずれを説明する説明図である。
【図４】図３と同様の、無限遠の被写界深度を有する対物レンズを用いた場合における（ａ）ベストピント位置、（ｂ）最近点、（ｃ）最遠点における集光レンズの焦点深度を説明する説明図である。
【図５】図１の蛍光観察装置における撮像ユニットの第１の変形例を示す模式図である。
【図６】図１の蛍光観察装置における撮像ユニットの第２の変形例を示す模式図である。
【図７】図１の蛍光観察装置における撮像ユニットの第３の変形例を示す模式図である。
【図８】本発明の第２の実施形態に係る蛍光観察装置を示す全体構成図である。
【図９】図８の蛍光観察装置における撮像ユニットの第１の変形例を示す模式図である。
【図１０】図８の蛍光観察装置における撮像ユニットの第２の変形例を示す全体構成図である。
【図１１】図８の蛍光観察装置における撮像ユニットの第３の変形例を示す全体構成図である。
【図１２】図８の蛍光観察装置における撮像ユニットの第４の変形例を示す全体構成図である。
【図１３】図８の蛍光観察装置における撮像ユニットの第５の変形例を示す全体構成図である。
【図１４】本発明の第３の実施形態に係る蛍光観察装置を示す全体構成図である。
【発明を実施するための形態】
【００２８】
本発明の第１の実施形態に係る蛍光観察装置について、図面を参照して以下に説明する。
本実施形態に係る蛍光観察装置１は、内視鏡装置であって、図１に示されるように、体内に挿入される細長い挿入部２と、光源(照明部)３と、該光源３からの照明光を挿入部２の先端から観察対象Ａに向けて照射する照明ユニット（照明部）４と、挿入部２の先端に設けられ、観察対象Ａである生体組織の画像情報を取得する撮像ユニット５と、挿入部２の基端側に配置され、撮像ユニット５により取得された画像情報を処理する画像処理部６と、該画像処理部６により処理された画像Ｇを表示するモニタ７とを備えている。
【００２９】
光源３は、キセノンランプ８と、該キセノンランプ８から発せられた照明光から、励起光を含む白色光（波長帯域４００〜７４０ｎｍ）を切り出すフィルタ９と、フィルタ９により切り出された励起光を含む白色光を集光するカップリングレンズ１０とを備えている。
照明ユニット４は、挿入部２の長手方向のほぼ全長にわたって配置され、カップリングレンズ１０によって集光された励起光を含む白色光を導光するライトガイドファイバ１１と、挿入部２の先端に設けられ、ライトガイドファイバ１１によって導光されてきた励起光を含む白色光を拡散させて、挿入部２の先端面２ａに対向する観察対象Ａに照射する照明光学系１２とを備えている。
【００３０】
撮像ユニット５は、観察対象Ａの所定の観察範囲から戻る取り光を集光する対物レンズ１３と、該対物レンズ１３によって集光された戻り光の内、励起波長以上の光（励起光および蛍光）を反射し、励起波長より短い波長の白色光を透過するダイクロイックミラー（分岐部）１４と、ダイクロイックミラー１４を透過した白色光をさらに２つに分岐するハーフミラー１５と、ダイクロイックミラー１４により反射された蛍光およびハーフミラー１５によって分岐された２つの白色光をそれぞれ集光する３つの集光レンズ（撮像光学系）１６〜１８と、集光レンズ１６〜１８によって集光された蛍光および２つの白色光を撮像するＣＣＤのような３個の撮像素子１９〜２１とを備えている。図中、符号２２は、ダイクロイックミラー１４によって反射された光から励起光を遮断する例えば、波長帯域７６０〜８５０ｎｍの光だけを透過する）励起光カットフィルタ、符号２３はミラーである。
【００３１】
図２に示されるように、蛍光Ｌ１を集光する集光レンズ１６および一方の白色光Ｌ２を集光する集光レンズ１７の焦点位置Ｐ１，Ｐ２は、対応する撮像素子１９，２０の焦点面１９ａ，２０ａに一致している。他方の白色光Ｌ３を集光する集光レンズ１８は、その焦点位置Ｐ３が対応する撮像素子２１の撮像面２１ａに対して光軸方向にずれた位置に配置されている。これにより、撮像素子１９，２０によって観察対象Ａに合焦した状態の蛍光画像情報Ｓ１および白色光画像情報Ｓ２が取得され、撮像素子２１によって観察対象Ａに合焦していない状態の参照画像情報Ｓ３が取得されるようになっている。
【００３２】
なお、図２に鎖線で示されるように、撮像素子２１または集光レンズ１８を光軸方向に移動させる移動機構２９が設けられていてもよい。これにより焦点位置Ｐ３のずれ量を適正な値に調節することができる。
【００３３】
画像処理部６は、撮像素子２０により取得された合焦した状態の白色光画像情報Ｓ２から反射光画像Ｇ１を生成する反射光画像生成部２４と、撮像素子１９により取得された蛍光画像情報Ｓ１および撮像素子２１により取得された参照画像情報Ｓ３に基づいて補正された蛍光画像Ｇ２を生成する補正蛍光画像生成部２５と、これらを合成して画像Ｇを生成する画像合成部２６とを備えている。
【００３４】
補正蛍光画像生成部は、蛍光画像情報を合焦していない白色光画像情報によって各画素毎に除算することにより、補正された蛍光画像を生成するようになっている。
画像合成部は、例えば、反射光画像と補正された蛍光画像とを並列に配置してモニタに同時に表示させるよう画像を合成し、モニタに出力するようになっている。
ここで、蛍光画像Ｇ２としては、例えば、蛍光色素Ｃｙ７からの蛍光画像を用いればよい。特に、腫瘍特異的な蛍光薬剤、例えば、癌特異的分子ＣＥＡに対する抗体（Ａｎｔｉ−ＣＥＡ抗体）とＣｙ７とを結合させた蛍光薬剤を予め観察対象Ｘに投与しておけば、腫瘍特異的な蛍光画像Ｇ２を得ることができる。
【００３５】
このように構成された本実施形態に係る蛍光観察装置１の作用について以下に説明する。
本実施形態に係る蛍光観察装置１を用いて観察対象Ａである体内の生体組織の観察を行うには、体内に挿入部２を挿入して、挿入部２の先端面２ａを観察対象Ａに対向させる。そして、光源３を作動させて、励起光を含む白色光を発生させ、カップリングレンズ１０によってライトガイドファイバ１１に入射させる。ライトガイドファイバ１１内を導光されて挿入部２の先端に達した励起光を含む白色光は、挿入部２先端の照明光学系１２によって拡散されて観察対象Ａに照射される（照明ステップ）。
【００３６】
観察対象Ａにおいては、内部に含まれている蛍光物質が励起光によって励起されることにより蛍光が発せられるとともに、観察対象Ａの表面において白色光が反射させられる。蛍光および白色光の反射光（戻り光）は、観察対象Ａから挿入部２の先端面２ａに戻り、その一部の観察範囲内から発せられた戻り光が対物レンズ１３によって集光される。
【００３７】
対物レンズ１３によって集光された戻り光は、ダイクロイックミラー１４によって波長毎に分岐され、励起波長と蛍光Ｌ１を含む戻り光、例えば、７００ｎｍから８５０ｎｍの波長帯域の光がダイクロイックミラー１４によって反射される。そして、励起光カットフィルタ２２によって励起光（例えば、７４０ｎｍ以下の光）が除去された後に、蛍光Ｌ１のみが集光レンズ１６によって集光されて撮像素子１９によって蛍光画像情報Ｓ１として取得される（蛍光画像取得ステップ）。
【００３８】
また、対物レンズ１３によって集光された戻り光の内、ダイクロイックミラー１４を透過した光、例えば、４００ｎｍ〜７００ｎｍの波長帯域の白色光は、ハーフミラーによって２つに分岐され、一方の白色光Ｌ２が集光レンズ１７によって合焦された状態で撮像素子２０により白色光画像情報Ｓ２として取得され、他方の白色光Ｌ３が、集光レンズ１８によって合焦されない状態まで集光されて撮像素子２１により参照画像情報Ｓ３として取得される（参照画像取得ステップ）。
【００３９】
各撮像素子１９〜２１によって取得された画像情報Ｓ１〜Ｓ３は、画像処理部６に送られて、白色光画像情報Ｓ２が反射光画像生成部２４に入力され反射光画像Ｇ１が生成される。一方、蛍光画像情報Ｓ１および参照画像情報Ｓ３は補正蛍光画像生成部２５に入力され、蛍光画像情報Ｓ１が参照画像情報Ｓ３によって画素毎に除算されることにより補正された蛍光画像Ｇ２が生成される（画像補正ステップ）。
【００４０】
この場合において、照明光は照明光学系１２によって拡散されて、観察対象Ａの各部位に対して角度および距離の条件を異ならせて照射されるので、各部位に照射される励起光の強度は異なり、したがって、蛍光画像情報Ｓ１は、照明光の距離および角度に依存する強度変化を含んでいる。すなわち、全ての部位に同等の蛍光物質が均一に含まれていたとしても、現実に発生する蛍光Ｌ１の強度は照明光の角度および距離に応じて異なっている。
【００４１】
一方、参照画像情報Ｓ３は、蛍光画像情報Ｓ１と同一の照明光の照射条件で、同一の観察範囲について取得されているので、照明光の距離および角度による強度の変化の情報としては、蛍光画像情報Ｓ１と同等の情報を含んでいる。さらに、本実施形態においては、参照画像情報Ｓ３は、集光レンズ１８の焦点位置Ｐ３を撮像素子２１の撮像面２１ａに対して光軸方向にずらして配置することにより取得されているので、その解像度は低下させられて、観察対象Ａの表面状態の情報は低減されている。
【００４２】
ここで、集光レンズ１８の焦点位置Ｐ３のずらし量について説明する。本実施形態においては、想定されるいかなる観察距離においても、集光レンズ１８の焦点深度内に撮像素子２１の撮像面２１ａが入らない位置に集光レンズ１８または撮像素子２１をずらす必要がある。
【００４３】
さらに具体的には、対物レンズ１３が有限遠の被写界深度を有する場合には、図３に示されるように、ｓ：対物レンズ１３の主平面Ｍ１から観察対象Ａまでの距離、ｓ’：集光レンズの主平面Ｍ２から焦点位置Ｐ３までの距離、ε：許容錯乱円の直径、ｆ：焦点距離、Ｆ：Ｆナンバーとして、距離ｓ’＝ｆｓ／（ｆ＋ｓ）、集光レンズ１８の焦点深度＝±εＦｓ／（ｆ＋ｓ）となるので、撮像面２１ａをｓ’−εＦｓ／（ｆ＋ｓ）より集光レンズ１８側に近づいた位置あるいはｓ’＋εＦｓ／（ｆ＋ｓ）より集光レンズ１８から遠ざかった位置に配置することで、集光レンズ１８の焦点深度内に撮像面２１ａが入らない位置に撮像素子２１を配置することができる。
【００４４】
また、対物レンズ１３が無限遠までの被写界深度を有する場合には、図４（ａ）に示されるように、ベストピント位置において、ｓ＝ｆ２／εＦ、ｓ’＝ｆ＋εＦとなり、集光レンズ１８の焦点深度はｓ’の位置を基準として±εＦとなる。
一方、最近点においては、図４（ｂ）に示されるように、集光レンズ１８の焦点深度は、ｓ’＝ｆ＋２εＦの位置を基準として±εＦとなるので、集光レンズ１８の主平面Ｍ２からｆ＋３εＦより遠く遠ざかった位置に撮像面２１ａを配置する必要がある。
【００４５】
さらに、最遠点である無限遠においては、図４（ｃ）に示されるように、集光レンズ１８の焦点深度は、ｓ’＝ｆの位置を基準として±εＦとなるので、集光レンズ１８の主平面Ｍ２からｆ−εＦより集光レンズ１８側に近づいた位置に撮像面２１ａを配置する必要がある。
【００４６】
したがって、対物レンズ１３が無限遠までの被写界深度を有する場合には、撮像素子２１の撮像面２１ａを集光レンズ１８の主平面Ｍ２から、ｆ−εＦより集光レンズ１８の主平面Ｍ２に近づけるか、ｆ＋３εＦより集光レンズ１８の主平面Ｍ２から遠ざけることにより、想定されるいかなる観察条件においても、合焦していない状態の参照画像情報Ｓ３を得ることができる。
【００４７】
このように、本実施形態に係る蛍光観察装置１によれば、観察対象Ａの表面に、血管構造や種々の形状的な特徴部分が存在していたとしても、取得された参照画像情報Ｓ３からは、そのような形状的な特徴部分の情報は除去されて、照明光の角度および距離に基づく強度変化の情報が残されている。その結果、このようにして得られた参照画像情報Ｓ３を用いて蛍光画像情報Ｓ１を補正することにより、励起光の角度や距離にかかわらず、均一な条件で励起光を照射したのと同様の状態に補正された、高い定量性を有する蛍光画像Ｇ２を得ることができる。
【００４８】
また、本実施形態に係る蛍光観察装置１によれば、照明光の角度および距離に基づく強度変化の情報を含み、解像度の低い参照画像情報Ｓ３を、集光レンズ１８の焦点位置Ｐ３をずらすだけで得ることができる。したがって、特殊な光学素子や、演算処理を必要としないので、簡易な構成で、迅速に高い定量性を有する蛍光画像Ｇ２を得ることができるという利点がある。
【００４９】
なお、本実施形態においては、白色光画像情報Ｓ２を取得するための撮像素子２０と、参照画像情報Ｓ３を取得するための撮像素子２１とを別個に設けた場合について説明したが、これに代えて、図５に示されるように、同一の撮像素子２０’の異なる領域によって白色光画像情報Ｓ２と参照画像情報Ｓ３の両方を取得することにしてもよい。
この場合には、図５に示されるように、一方の集光レンズ１８を他方の集光レンズ１７に対して光軸方向に異なる位置に配置することにしてもよい。あるいは、図６に示されるように、集光レンズ１７，１８の撮像素子２０’に対する配置は同じにして、一方の集光レンズ１８と撮像素子２０’との間にのみ、平行平板ガラス２７のような光学素子を配置してもよい。また、集光レンズ１８として集光レンズ１７とは異なる焦点距離を有する集光レンズ１８を採用してもよい。
【００５０】
さらに、図７に示されるように、ダイクロイックミラー１４によって反射した蛍光Ｌ１についても、同一の撮像素子２０’の他の領域に集光して、単一の撮像素子２０’によって、蛍光画像情報Ｓ１、白色光画像情報Ｓ２および参照画像情報Ｓ３をそれぞれ取得することにしてもよい。図中符号２８はミラーである。
【００５１】
また、単一の対物レンズ１３によって戻り光を集光することとしたが、これに代えて、対物レンズ１３を白色光集光用と蛍光集光用に別個に２つ設けることにしてもよい。
【００５２】
また、参照画像情報Ｓ３は白色光以外の光に基づいてもよい。例えば、図２において、集光レンズ１８とミラー２３の間に特定の波長だけを透過する光学フィルタ（図示せず）を設けてもよい。これにより、参照画像情報Ｓ３の元となる光を帯域を自由に設定することができる。例えば、光学フィルタの透過帯域を赤色（例えば６００〜７００ｎｍ）に限定することもできる。このように血液の吸収が少ない帯域を選ぶことにより、参照画像に血管構造の情報がのることを抑制することができる。
【００５３】
次に、本発明の第２の実施形態に係る蛍光観察装置３０について、図面を参照して以下に説明する。
本実施形態の説明において、上述した第１の実施形態に係る蛍光観察装置１と構成を共通とする箇所には同一符号を付して説明を省略する。
【００５４】
本実施形態に係る蛍光観察装置３０は、図８に示されるように、光源３にフィルタターレット３１を備えている。フィルタターレット３１は、円板状に形成されて周方向に異なる波長特性を有する複数のフィルタ３２，３３を配置し、その中心軸回りに回転させられるようになっている。各フィルタ３２，３３は、白色光（例えば、波長帯域４００ｎｍ〜７００ｎｍの光）を透過させるフィルタ３２と、励起光（例えば、波長帯域６５０ｎｍ〜７４０ｎｍの光）を透過させるフィルタ３３である。これにより、キセノンランプ８からの照明光の光軸上に異なるフィルタ３２，３３が交互に配置されるので、励起光と白色光とを時分割にライトガイドファイバ１１に入射させることができるようになっている。
【００５５】
また、本実施形態に係る蛍光観察装置３０は、撮像ユニット３４において第１の実施形態に係る蛍光観察装置１と相違している。撮像ユニット３４は、ダイクロイックミラー１４として、例えば、白色光（波長およそ４００ｎｍ〜７００ｎｍ）に対する透過率が５０％程度（反射率が５０％程度）かつ蛍光（波長帯域７６０ｎｍ〜８５０ｎｍ）に対する透過率がほぼ０％（反射率がほぼ１００％）のものを使用している。また、ダイクロイックミラー１４の後段には、白色光を分岐するハーフミラー１５を含まず、単一の光路上に、単一の集光レンズ１７と単一の撮像素子２０とを備えている。また、本実施形態においては、白色光を撮影する撮像素子２０を、集光レンズ１７の焦点位置が、撮像面２０ａに対して光軸方向にずれた位置に配置している。この撮像素子２０からの出力である参照画像情報Ｓ３は画像処理部６内の補正蛍光画像生成部２５に入力されている。
【００５６】
また、励起光カットフィルタ２２は励起光（例えば、波長帯域６５０ｎｍ〜７４０ｎｍの光）を遮断し蛍光（例えば、波長帯域７６０ｎｍ〜８５０ｎｍの光）をおよそ１００％透過し、励起光帯域を除く白色光（例えば、４００ｎｍ〜６５０ｎｍの光）を少量（例えば、５％程度）透過する。本実施形態に係る蛍光観察装置３０は、フィルタターレット３１の回転に同期して、撮像素子１９から出力されてきた蛍光画像情報Ｓ１と白色光画像情報Ｓ２とを反射光画像生成部２４と補正蛍光画像生成部２５とに振り分ける切替制御部３５を備えている。すなわち、フィルタターレット３１の励起光を透過させるフィルタ３３がキセノンランプ８からの光軸上に配置されているときには、切替制御部３５は、撮像素子１９からの出力である蛍光画像情報Ｓ１を補正蛍光画像生成部２５に出力するようになっている。
【００５７】
一方、フィルタターレット３１の白色光を透過させるフィルタ３２が光軸上に配置されているときには、切替制御部３５は、撮像素子１９からの出力である白色光画像情報Ｓ２を反射光画像生成部２４に出力するようになっている。このとき、白色光画像情報Ｓ２の元となる白色光（波長帯域４００ｎｍ〜６５０ｎｍの光）はダイクロイックミラー１４の反射率５０％と励起光カットフィルタ２２の透過率５％から、約２．５％しか撮像素子１９に到達しないが、蛍光を観察するための撮像素子１９は一般に高感度なものを用いるため、約２．５％だけ透過した白色光も十分に観察することができる。
【００５８】
反射光画像生成部２４においては、送られてきた白色光画像情報Ｓ２に基づいて反射光画像Ｇ１が生成される。補正蛍光画像生成部２５においては、蛍光画像情報Ｓ１が送られてきたときにこれを一時的に記憶しておき、フィルタ３２が光軸上にあるときに、参照画像情報Ｓ３が送られてきたときに、記憶されている蛍光画像情報Ｓ１を送られてきた参照画像情報Ｓ３によって画素毎に除算して、補正された蛍光画像Ｇ２が生成されるようになっている。
このように、本実施形態に係る蛍光観察装置３０によれば、蛍光画像情報Ｓ１と白色光画像情報Ｓ２とを時分割に取得するので、撮像素子１９，２０の数を減らして構造を簡略化することができる。
【００５９】
なお、本実施形態において。フィルタターレット３１は、白色光を透過させるフィルタ３２と、励起光を透過させるフィルタ３３の２枚のフィルタからなっていたが、これに加えて、参照用照明光（例えば、６００ｎｍ〜７００ｎｍ）を透過する参照用フィルタ（図示せず）を設けても良い。つまり、切替制御部３５は、フィルタ３３が光軸上にあるときは、撮像素子１９からの出力である蛍光画像情報Ｓ１を補正蛍光画像生成部２５に出力し、フィルタ３２が光軸上にあるときは白色画像情報Ｓ２を補正蛍光画像生成部２５に出力する。そして、画像情報生成部２５は、蛍光画像情報Ｓ１と、参照用フィルタが光軸上にあるときに送られてくる参照画像情報Ｓ３によって、補正された蛍光画像Ｇ２が生成されるようにしても良い。
このようにすることで、参照用の照明光を白色光とは別に最適な波長帯域を選択することができる。例えば、６００ｎｍ〜７００ｎｍのように、血液の吸収が少ない帯域を選ぶことにより、参照画像に血管構造の情報がのることを抑制することができる。
【００６０】
またこのとき、参照画像情報Ｓ３として、観察対象Ａから戻る参照用照明光を利用したが、これに代えて、図９のような光学系を用いることにより、観察対象Ａから発生する蛍光、例えば、自家蛍光を用いてもよい。撮像素子２０とダイクロイックミラー１４の間に自家蛍光（例えば、波長帯域５００ｎｍ〜６３０ｎｍ）のみを透過する自家蛍光透過フィルタ５０を配置する。そして参照用フィルタが自家蛍光を励起する帯域の光（例えば、波長帯域４００ｎｍ〜４７０ｎｍの光）を透過する設計となっている。参照用フィルタが光軸上にあるときに取得した自家蛍光画像を参照画像情報Ｓ３として画像情報生成部２５に送ることとしても良い。
【００６１】
このようにすることで、白色光の反射光を用いる場合のように、観察対象Ａの表面における正反射光が参照画像情報Ｓ３に含まれる不都合の発生を防止し、観察対象Ａである生体組織内部にほぼ均一に存在する自家蛍光物質からの均一な自家蛍光を利用して参照画像情報Ｓ３を得ることができる。したがって、さらに高い定量性を有する補正された蛍光画像Ｇ２を得ることができる。
【００６２】
なお、本実施形態においては、光源３内に配置したフィルタターレット３１によって白色光と励起光とを時分割に照射することとしたが、これに代えて、図１０に示されるように、光源３からは、励起光を含む白色光（例えば、波長帯域４００ｎｍ〜７４０ｎｍの光）を常時照射しておき、撮像ユニット３４に設けたフィルタターレット３６によって蛍光と白色光とを時分割に撮影することにしてもよい。
フィルタターレット３６は、回転によって、白色光（例えば、波長帯域４００ｎｍ〜７００ｎｍの光）を透過するフィルタ３７と、蛍光（例えば、波長帯域７６０ｎｍ〜８５０ｎｍの光）を透過しそれ以外の光を遮断するフィルタ３８とを択一的に光軸上に配置するように切り替えられる。
【００６３】
この場合には、切替制御部３５は、フィルタターレット３６が蛍光を透過させるフィルタ３８を光軸上に配置しているときに、撮像素子１９からの出力である蛍光画像情報Ｓ１を補正蛍光画像生成部２５に出力するようになっている。また、フィルタターレット３６の白色光を透過させるフィルタ３７が光軸上に配置されているときには、切替制御部３５は、撮像素子１９からの出力である白色光画像情報Ｓ２を反射光画像生成部２５に出力するようになっている。
【００６４】
また、フィルタターレット３６により透過する光の波長を切り替えて、蛍光画像情報Ｓ１と白色光画像情報Ｓ２とを時分割に取得することとしたが、これに代えて、図１１に示されるように、ダイクロイックミラー１４を透過した白色光を撮影する撮像素子２０を集光レンズ１７の焦点位置Ｐ２に撮像面２０ａが一致する位置とずれた位置との間で、光軸方向に移動させる移動機構３９を備えていることにしてもよい。
【００６５】
このようにすることで、移動機構３９を駆動して、白色光画像情報Ｓ２と、参照画像情報Ｓ３とを時分割に交互に取得することができる。
この場合には、切替制御部３５は、集光レンズ１７の焦点位置Ｐ２に撮像面２０ａが一致する位置に撮像素子２０を配置しているときに、撮像素子２０からの出力である白色光画像情報Ｓ２を反射光画像生成部２４に送るようになっている。一方、集光レンズ１７の焦点位置Ｐ２に対して撮像面２０ａがずれた位置に撮像素子２０を配置しているときには、切替制御部３５は、撮像素子２０からの出力である参照画像情報Ｓ３を補正蛍光画像生成部２５に送るようになっている。
【００６６】
補正蛍光画像生成部２５においては、撮像素子１９から常時送られてきている蛍光画像情報Ｓ１を、参照画像情報Ｓ３が送られてきたときに除算して補正された蛍光画像Ｇ２を生成するようになっている。
このようにすることで、白色光と蛍光とを異なる撮像素子１９，２０で撮影するので、蛍光を撮影する撮像素子１９のみを高感度の撮像素子１９にすることができ、蛍光観察の精度向上と、製品コストの低減とを両立することができる。
【００６７】
なお、この変形例においては、移動機構３９の駆動により白色光画像情報Ｓ２と、参照画像情報Ｓ３とを時分割に交互に取得することとしたが、これに代えて、反射光観察モードと蛍光観察モードとを切替可能としてもよい。この場合には、反射光観察モードが選択されたときに、移動機構３９を作動させて、集光レンズ１７の焦点位置Ｐ２が撮像面２０ａに一致するように撮像素子２０を移動させ、蛍光観察モードが選択されたときには、移動機構３９を作動させて、集光レンズ１７の焦点位置Ｐ２が撮像面２０ａに対してずれた位置に配置されるように撮像素子２０を移動させることにしてもよい。
【００６８】
また、この変形例においては、移動機構３９が撮像素子２０を光軸方向に移動させることとしたが、これに代えて、図１２に示されるように、集光レンズ１７を光軸方向に移動させることにしてもよい。集光レンズ１７を移動させる方が、撮像素子２０のように配線を伴う部材を移動させるよりも動かし易いという利点がある。
【００６９】
また、移動機構３９によって撮像素子２０または集光レンズ１７を光軸方向に移動させることで、集光レンズ１７の焦点位置Ｐ２を撮像素子２０の撮像面２０ａに対して移動させることとしたが、これに代えて、図１３に示されるように、集光レンズ１７として液晶レンズ１７Ａを使用し、加える電圧を調整することで、液晶レンズ１７Ａ内の液晶の屈折率を変更し、焦点位置Ｐ２を光軸方向に移動させることにしてもよい。このようにすることで、機械的な移動機構３９が不要となり、構成を簡略化することができるとともに、応答性を向上することができるという利点がある。
【００７０】
次に、本発明の第３の実施形態に係る蛍光観察装置４０について図１４を参照して以下に説明する。
本実施形態の説明において上述した第２の実施形態に係る蛍光観察装置３０と構成を共通とする箇所には同一符号を付して説明を省略する。
【００７１】
本実施形態に係る蛍光観察装置４０においては、ダイクロイックミラー１４およびハーフミラー１５が備えられておらず、対物レンズ１３を介して集光された観察対象Ａからの戻り光は全て、単一の集光レンズ１７によって集光されて単一の撮像素子２０によって撮影されるようになっている。また、集光レンズ１７と撮像素子２０との間には、透過する光の波長を切り替えるフィルタターレット４１が配置されている。
【００７２】
フィルタターレット４１は、白色光を透過させるフィルタ４２と、蛍光を透過させるフィルタ４３とを備えているとともに、白色光を透過させるフィルタ４２の一部に平行平板ガラス４４が取り付けられている。
光源３からの励起光を含む白色光を観察対象Ａに照射した状態で、観察対象Ａから戻る蛍光および白色光の反射光を含む戻り光が対物レンズ１３によって集光される。
【００７３】
この状態で、フィルタターレット４１の平行平板ガラス４４を備えないフィルタ４２の部分が光軸上に配置されているときには、撮像素子２０によって白色光画像情報Ｓ２が取得され、平行平板ガラス４４を備えたフィルタ４２の部分が光軸上に配置されているときには、撮像素子２０によって参照画像情報Ｓ３が取得される。また、フィルタ４３が光軸上に配置されているときには、撮像素子２０によって蛍光画像情報Ｓ１が取得される。
【００７４】
撮像素子２０からの全ての画像情報Ｓ１〜Ｓ３は切替制御部３５に入力され、フィルタターレット４１の回転に同期して、白色光画像情報Ｓ２は反射光画像生成部２４に、蛍光画像情報Ｓ１および参照画像情報Ｓ３は補正蛍光画像生成部２５にそれぞれ出力される。
これにより、単一の撮像素子２０および集光レンズ１７によって、最も簡易な構成で、反射光観察と、定量性の高い蛍光観察とを時分割で行うことができる。
【００７５】
なお、フィルタターレット４１に取り付けた平行平板ガラス４４によって、焦点位置Ｐ２をずらすこととしたが、これに代えて、撮像素子２０または集光レンズ１７を光軸方向に移動させる移動機構３９を採用してもよいし、集光レンズ１７を液晶レンズ１７Ａとすることによって焦点位置Ｐ２を移動させることにしてもよい。
【００７６】
また、このとき、フィルタ４２のうち平行平板ガラス４４を備えている部分だけ透過波長を変えても良い、例えば、赤色（６００ｎｍ〜７００ｎｍ）の光だけを透過するようにしても良い。このように血液の吸収が少ない帯域を選ぶことにより、参照画像に血管構造の情報がのることを抑制することができる。
【００７７】
また、上記各実施形態においては、蛍光観察装置として内視鏡を例示して説明したが、これに限定されるものではなく、他の任意の蛍光観察装置に適用することにしてもよい。
【符号の説明】
【００７８】
Ａ  観察対象
Ｐ３  焦点位置
Ｓ１  蛍光画像情報（蛍光画像）
Ｓ３  参照画像情報（参照画像）
１，３０，４０  蛍光観察装置
３  光源（照明部）
１３  対物レンズ（集光レンズ）
１４  ダイクロイックミラー（第１の分岐部）
１５  ハーフミラー（第２の分岐部）
１７  集光レンズ（白色光撮像光学系）
１７Ａ  液晶レンズ（集光レンズ）
１８  集光レンズ（撮像光学系：参照光撮像光学系）
１９  撮像素子（第１の画像取得部）
２０，２０’  撮像素子（白色光撮像素子）
２１  撮像素子（第２の画像取得部：参照光撮像素子）
２１ａ  撮像面
２５  補正蛍光画像生成部（画像補正部）
２９  移動機構
３９  移動機構（切替機構）
４１  フィルタターレット（フィルタ部）
４４  平行平板ガラス（切替手段）
【図１】
2010220890.tif 000003
【図２】
2010220890.tif 000004
【図３】
2010220890.tif 000005
【図４】
2010220890.tif 000006
【図５】
2010220890.tif 000007
【図６】
2010220890.tif 000008
【図７】
2010220890.tif 000009
【図８】
2010220890.tif 000010
【図９】
2010220890.tif 000011
【図１０】
2010220890.tif 000012
【図１１】
2010220890.tif 000013
【図１２】
2010220890.tif 000014
【図１３】
2010220890.tif 000015
【図１４】
2010220890.tif 000016